(57)【要約】      （修正有）【課題】電気的動力を使用することなくタンクあるいは圧力タンク内の残量をダイヤルゲージ式に表示するダイヤルゲージ式残量表示装置を提供する。【解決手段】Ｌ字状目盛針１１−１の端部が回転自在軸１２の上部面に垂直に固着されている。充填物の量によって上下に移動する浮子１５−１はガイドロッド１５−２によって浮子ガイド１５−３と連結している。当該ガイドロッドはガイド筒１６の周面に設けられた対を成す螺旋状のガイド溝孔１６−１に内通している。浮子が上下に移動するとガイドロッドによって連結されている浮子ガイドも上下に移動し、浮子ガイドは上下移動と共に回転運動をする。この浮子ガイドの回転運動が回転自在軸に伝達され回転自在軸上面に固着されているＬ字形状の目盛針を回転させることによってタンク内の残量表示をダイヤルゲージ式に表示する。【選択図】図２
2004333463.tif 000002
【特許請求の範囲】
【請求項１】
ガソリン及び灯油等の液状物を充填するタンクにおいて、タンク外部に取り付けられ電気的動力を使用することなくタンク内の残量をダイヤルゲージ式に表示することを特徴とするダイヤルゲージ式残量表示装置。
【請求項２】
請求項１記載のダイヤルゲージ式残量表示装置であって、タンク外部に装着されているダイヤルゲージ式残量メータ１１の中心部に回転自在軸１２を有し当該回転自在軸１２の上面中心部に略Ｌ字状の目盛針１１−１の一端が固着され当該目盛針１１−１は当該回転自在軸の動きと連動して水平方法に回転自在である。一方当該回転自在軸１２の他端はタンク内部の底端部付近まで延伸されて同端部は逆円錐形状を成して下部蓋１７の中央部にある逆円錐型窪みの底面と接合し水平方向に回転自在で、また当該回転自在軸１２の長手方向即ち垂直方法両端には板状のガイドバー１２−１が回転自在軸１２の中心から相対峙して長手方向に固着されている。更に当該回転自在軸１２に中央部が当該回転自在軸１２の水平方向断面と同形状の孔を有した円形板状の浮子ガイド１５−３が挿接され、浮子ガイド１５−３は当該回転自在軸１２を軸として上下方向即ち垂直方向には移動自在であるが水平方向の回転は当該回転自在軸１２と連動する機構になっている。浮子ガイド１５−３は当該浮子ガイド１５−３の中心から相対峙して丸棒状のガイドロッド１５−２が水平方向に嵌合され、当該ガイドロッド各外端はコルクの様なガソリンより比重の軽い物質から成る浮子１５−１に嵌合されており、浮子ガイド１５−３と浮子１５−１の間隙を十分に有している構造である。また当該浮子ガイド１５−３と当該浮子１５−１間のガイドロッド１５−２は内部中空の円筒形状で且つ中心から相対峙した孔が螺旋状に連続して垂直方向に穿設しているガイド筒１６のガイド溝孔１６−１に挿接されていて、浮子ガイド１５−３は当該ガイド溝孔１６−１に沿って螺旋状に回転しながら上下方向に移動する構造となっている。従い浮子１５−１はタンク内の油面レベルに合わせて上下移動をし、当該浮子１５−１に連動して浮子ガイド１５−３が回転しながら上下移動をし、当該浮子ガイド１５−３に連動して回転自在軸１２が回転移動を行うことによって当該回転自在軸端面に固着された目盛針１１−１が回転移動を行うことを特徴としたダイヤルゲージ式残量表示装置。
【請求項３】
請求項１及び２記載のダイヤルゲージ式残量表示装置であって、タンク外部に装着されているダイヤルゲージ式残量メータ１１が外気と密閉構造を成してタンクに螺合あるいは溶接合されており、浮子１５−３の比重がガソリンより軽く浸透性の高い物質からなる構造から成り圧力タンクのダイヤルゲージ式残量表示装置として使用できることを特徴としたダイヤルゲージ式残量表示装置。
【発明の詳細な説明】
【０００１】
【発明の属する技術分野】本発明はガソリンあるいは灯油等を充填する無圧タンクあるいは圧力タンクにおいて充填物の残量が電気的動力を使用することなく可視的に且つ数値で把握できる残量表示装置に関するものである。
【０００２】
【従来の技術】従来の残量表示装置は、電気的動力を使用した表示装置を除くと、液面計式とフロート式がある。図８は従来の液面計残量表示装置を図示したものである。図中８はタンク、８１はタンク８の上部と下部から導いた導管で中央部は透明筒部材で構成されている。この液面計残量表示装置は、水位並びに油位は常に一定になる原理を応用したものであり、図８においてタンク８内の８２は油位であり、この油位は導管中央部透明筒８１内の油位８２と同じ位置である。これによりタンク８内に充填されている残量がタンクの外部で可視的に確認出来るのである。
【０００３】
図９はフロート式残量表示装置を図示したものである。９はタンク、９８は給油孔である。この給油孔９８の立ち上がり縁部には、フロート式残量表示装置における円形カップ状の蓋部９１が被嵌されている。この蓋部９１の内部には、断面コ字状のガイド部材９９の上端部が取着され、ガイド部材９９の下端側はタンク９内において、下方へと直線状に延びている。上記ガイド部材９９の下端部には、回動アーム１００の一端側が回動自在に枢支され、また回動アーム１００の先端部には、浮子９４が取付けられている。一方、上記ガイド部材９９の内側には、上下方向に延びる作動ロッド１０２が配置されている。この作動ロッド１０２は、上記ガイド部材９９の内側に設けられたガイド部（図示せず）によって上下方向のみ自由に移動できるよう案内されている。そして作動ロッド１０２下端部と上記回動アーム１００の中途部とが連結部材１０１によって連結され、これにより回動アーム１００の回動動作に連動して上記作動ロッド１０２が上下動するような構造である。
【０００４】
上記作動ロッド１０２の上端側は、上記蓋部９１に穿設した貫通孔を通って上方へと導出されており、その上端部に表示子９２が上記蓋部９１から外方に突出するように取付けられている。また上記蓋部９１の外周部には上下方向に目盛が形成されている。
【０００５】
上記装置において、タンク９内のガソリンあるいは灯油が次第に減少して油面が低下してゆくと、浮子９４の低下と共に上記回動アーム１００が、図において時計方向に回動し、これにより上記作動ロッド１０２が次第に下降する。そのため上記表示子９２も次第に下降していき、この表示子９２と上記蓋部９１の外周部に形成された目盛とを対応付けることによってタンク９内の残量を把握できるようになっている。
【０００６】
【発明が解決しようとする課題】ところで従来の前記液面計残量表示装置は油位が一定であることから残量の測定は正確ではあるが、表示部をタンク外側部に露出させなければならずまた液面表示部には透明材料を使用する必要があるため、材料の選択に限度がある。このため工事現場で使用するため等の携帯型タンクではこの液面計残量表示装置は、破損等の恐れもあることから不向きである。
【０００７】
また前記従来のフロート式残量表示装置においては、タンク内でフロート部が枢支部を中心に回動するため、タンクの横幅を大きくする必要があり縦長形状のタンクには不向きである。更に近年ではガソリンや灯油等を充填する携帯型タンクでは、移動時の偶発的な暴発を防ぐためタンク内に帯状の無機材料を充填しており、回動アームが動回する余地がない。
【０００８】
【課題を解決するための手段】本発明は、上記従来の問題を解決するため、目盛針１１−１が水平方向に回動する機能を有したダイヤルゲージ式残量メータ１をタンク２の上部に螺合あるいは溶接合されている。ダイヤルゲージ式残量メータ１とタンク２の接合内部は貫通しており、当該貫通部には回転自在軸１２が上部面中心部に前記目盛針１１−１を固着し下部は逆円錐形状で先端が鋭利形状を成してタンク２内部の低面部まで垂直に延伸し下部蓋１７の中央部に有する逆円錐形状の窪みと合接しており、この構造で回転自在軸１２は水平方向に自由な回転をする構造になっている。また回転自在軸１２の上部面に固着している目盛針１１−１はＬ字形状を成しており短長側の端部が当該回転自在軸１２の上部面中心部に垂直に固着しているため長手側は水平な向きとなっており、従い回転自在軸１２の水平方向の回転と連動して目盛針１１−１は水平方向に回動する。また上部蓋１３は中心部を穿設しており当該穿設部に前記回転自在軸１２が内通して前記回転自在軸１２の横振れを防ぐ軸受的機能も有している。
【０００９】
前記上部蓋１３と前記下部蓋１７間の前記回転自在軸１２には水平断面中心から相対峙して２枚の板状ガイドバー１２−１を当該回転自在軸１２の長手方向に固着させ当該ガイドバー１２−１の他端は当該回転自在軸１２の周面から突出している。
【００１０】
また前記上部蓋１３と前記下部蓋１７間の前記回転自在軸１２に水平断面形状が同一で当該回転自在軸１２を軸として上下方向に移動が自由な円形板形状の浮子ガイド１５−３を挿入している。更に当該浮子ガイド１５−３の水平断面中心から相対峙して棒状の２本のガイドロッド１５−２を嵌合しており当該ガイドロッド１５−２の他端はガソリンより比重の軽い材料から成る浮子１５−１に嵌合している。また浮子ガイド１５−３と浮子１５−１間は後記詳細のガイド筒１６の肉厚以上で十分な間隙を有している。
【００１１】
前記ガイド筒１６は中空形状の筒であり上端部が上部蓋１３で固定され下端部は下部蓋１７で固定されていて、水平断面中心から相対峙した孔が当該ガイド筒１６の周面に連続して螺旋状に当該ガイド筒１６の上部から下部に穿設されている。ここで２本の前記ガイドロッド１５−２は前記ガイド筒１６の穿設部に前記浮子ガイド１５−３と前記浮子１５−１を挟んで挿入されている。
【００１２】
上記の構造により浮子１５−１はタンク２内の残量により上下に移動する。このとき浮子１５−１に嵌合されているガイドロッド１５−２は前記ガイド筒１６の周面に相対峙した螺旋状に設けられている穿設孔に沿って上下動するため当該ガイドロッド１５−２の他端で嵌合している前記浮子ガイド１５−３は上下動と共に回転運動も伴う。この浮子ガイド１５−３の回転運動が回転自在軸１２に伝わり当該回転自在軸１２の上部面に固着されているＬ字形状の目盛針１１−１が当該回転自在軸１２を軸として水平方向に回転するのである。尚、多孔筒カバー１４は浮子１５−１が円滑に動けるようにするため、タンク充填物であるガソリンあるいは灯油等の液体は通すが暴発を防ぐために充填されている帯状の無機材料は通さない多孔を有した中空筒である。
【００１３】
これにより従来のフロート式残量表示装置では枢支部から横方向にアームを延伸して回動させるため、タンクの形状によっては使用できない場合もあり、また目盛表示も上下目盛のため読み辛い面もあった。しかし本発明のダイヤルゲージ式残量表示装置はメータもダイヤル式で読み易く、また垂直方向に延伸した回転自在軸を軸とした回転動作のためタンクの形状に使用が制限されることはない。
【００１４】
尚、ダイヤルゲージ式残量表示メータ１１を密閉構造にして浮子１５−１をガソリンより比重が軽く且つ浸透性が良い材料を使用すれば、圧力タンクにも利用できる利点がある。
【００１５】
【発明の実施の形態】図１は一般的なガソリン及び灯油等のタンクに本発明であるダイヤルゲージ式残量表示装置を組み込んだ状態の斜視切断図である。図において１はダイヤルゲージ式残量表示装置、２はタンク、３は加圧タンクとして使用する場合に必要な圧力計、４は供給バルブ、５は加圧タンクとして使用する場合に必要な加圧ハンドル、６は加圧タンクとして使用する場合に必要な空抜弁、７は注入口である。
【００１６】
図２は本発明であるダイヤルゲージ式残量表示装置の中心面を垂直方向に切断した斜視図である。Ｌ字状目盛針１１−１の端部が回転自在軸１２の上部面に垂直に固着されている。尚、１１−４は目盛針１１−１の位置を確認するために透明部材からなる透明板、１１−３はダイヤルゲージを印刷した目盛板、１１−２は目盛針１１−１の回動を安定させるためのコイルバネである。
【００１７】
多孔筒カバー１４内にある浮子１５−１はガソリンより比重の軽い材質から成っており、充填物の量即ち高さによって上下に移動する。この浮子１５−１はガイドロッド１５−２（断面表示のため１本のみ表示）によって浮子ガイド１５−３と連結している。尚、浮子ガイド１５−３は中心部に回転自在軸１２と水平方向断面形状が同一の孔を設けており、上下方向に回転自在軸１２を通して移動自在な構造になっている。当該ガイドロッド１５−２はガイド筒１６の周面に設けられた対を成す螺旋状のガイド溝孔１６−１（断面表示のため１本のガイド溝孔のみ表示）を内通している。尚、ガイド筒１６は上端部と下端部が上部蓋１３と下部蓋１７によって狭窄されているので固定している。浮子１５−１が上下に移動するとガイドロッド１５−２によって連結されている浮子ガイド１５−３も上下に移動する。一方ガイドロッド１５−２はガイド溝孔１６−１に内通しているため螺旋状に穿設しているガイド溝孔１６−１に沿って動くことになる。つまり浮子ガイド１５−３は上下移動と共に回転運動をするのである。そしてこの浮子ガイド１５−３の回転運動が回転自在軸１２に伝達されるのである。
【００１８】
図３はダイヤルゲージ式残量表示装置の略中央部を多孔筒カバーを除いた平面断面図である。図において浮子１５−１はガイドロッド１５−２を介在して浮子ガイド１５−３に連結されている。一方ガイドロッド１５−２はガイド筒１６の周面に穿設されたガイド溝孔（番号表示せず）を内通している。回転自在軸１２は対を成した板状のガイドバー１２−１を上下方向に嵌合している。回転自在軸１２を被貫通している浮子ガイド１５−３の中心部は回転自在軸１２の形状と同一であり、上下に移動自在に成っている。尚、浮子ガイド１５−３の回転を回転自在軸１２に伝達するためにガイドバー１２−１を本実施例では表示してあるが、回転力を伝達する構造、例えば四角、三角、六角、であればどのような形状でも良い。
【００１９】
図４は本発明であるダイヤルゲージ式残量表示装置の組立部品の斜視図である。１１はダイヤルゲージ式残量メータ、１２は回転自在軸、１２−１は回転自在軸１２の水平方向断面の中心から相対峙させて嵌合してある板状のガイドバーである。１３は上部蓋、１４は多孔筒カバー、１５は浮子、浮子ガイドそしてガイドロッドからなるフロート体、１６は中空構造のガイド筒、そして１６−１はガイド筒１６の周面に水平方向断面の中心から相対峙して螺旋状に穿設しているガイド溝孔である。また１７は下部蓋である。
【００２０】
ここでガイド筒１６の周面に対で穿設してある２本の螺旋状ガイド溝孔１６−１の各上端部を直線で繋いだ線と当該ガイド溝孔１６−１の２本の下端部を直線で繋いだ線の角度が図２の目盛針１１−１が回転自在軸１２を軸として回転する角度となる。
【００２１】
そこで図５、図６及び図７はタンク内の液量によって目盛針１１−１がどの位置にあるかを示した図である。図５はタンク内の残量が零の時の目盛針の位置である。浮子１５−１（ａ）はガイド筒１６の最下部に位置し平面でガイドロッド１５−２（ａ）の長手方向の向きと目盛針１１−１（ａ）の向きは同方向である。図６はタンク内の残量が半分の時の目盛針の位置である。浮子１５−１（ｂ）はガイド筒１６の中央部に位置しガイドロッド１５−２（ｂ）の長手方向の向きと目盛針１１−１（ｂ）の向きは同方向である。図６はタンク内の残量が満タンの時の目盛針の位置である。浮子１５−１（ｃ）はガイド筒１６の最上部に位置しガイドロッド１５−２（ｃ）の長手方向の向きと目盛針１１−１（ｃ）の向きは同方向である。
【００２２】
【発明の効果】上述のように本発明のダイヤルゲージ式残量表示装置は電気的動力を使用することなくタンク内のガソリンあるいは灯油等の残量をダイヤルゲージ式に表示することが出来、また垂直方向の軸に対しての回転運動であることからどのような形状のタンクにも利用が可能となる。
【００２３】
更に、ガソリンを利用した溶接あるいは溶断用の圧力タンクにも利用が可能であり、野外や現場でガソリンを充填した圧力タンクを使用する場合、圧力タンク上部に圧力計と共に取付けが出来ることから一元的な残量の管理が可能となる。
【図面の簡単な説明】
【図１】ダイヤルゲージ式残量表示装置を装着したタンク斜視断面図
【図２】ダイヤルゲージ式残量表示装置斜視断面図
【図３】フロート体平面断面図
【図４】ダイヤルゲージ式残量表示装置部品図
【図５】タンク内少量液面とフロート体位置関係斜視図
【図６】タンク内中間量液面とフロート体位置関係斜視図
【図７】タンク内満タン液面とフロート体位置関係斜視図
【図８】液面式計タンク断面図
【図９】フロート式計タンク断面図
【符号の説明】
１          ダイヤルゲージ式残量表示装置
１１        ダイヤルゲージ式残量メータ
１１−１    目盛針
１１−２    コイルバネ
１１−３    目盛板
１１−４    透明板
１２        回転自在軸
１２−１    ガイドバー
１３        上部蓋
１４        多孔筒カバー
１５        フロート体
１５−１    浮子
１５−２    ガイドロッド
１５−３    浮子ガイド
１６        ガイド筒
１６−１    ガイド溝孔
１７        下部蓋
２          タンク
３          圧力計
４          制御弁
５          加圧ハンドル
６          抜弁
７          注入安全弁
【図１】
2004333463.tif 000003
【図２】
2004333463.tif 000004
【図３】
2004333463.tif 000005
【図４】
2004333463.tif 000006
【図５】
2004333463.tif 000007
【図６】
2004333463.tif 000008
【図７】
2004333463.tif 000009
【図８】
2004333463.tif 000010
【図９】
2004333463.tif 000011